(57)【要約】【課題】ガードの位置を安定させることができる扇風機を提供すること。【解決手段】扇風機１において、モータ５は、ファン６が取り付けられる回転軸１８を有するロータ１７と、このロータ１７を囲繞するように設けられた金属製のフロントブラケット１４およびリヤブラケット１５とを備えている。モータ５およびファン６を覆うガード７では、ファン６の後方側とフロントブラケット１４の外側を覆うフロントカバー１１とを保護するセンターガード３０の後端のガードオーナメントリム３５が、フロントブラケット１４およびリヤブラケット１５の連結部６８に固定されている。つまり、ガード７が、扇風機１において重量物となるモータ５の金属製のフロントブラケット１４およびリヤブラケット１５の連結部６８に固定されるので、扇風機１が作動状態にあるときであってもガード７がぐらつくことはなく、ガード７の位置を安定させることができる。【選択図】図２
2009264139.tif 000002
【特許請求の範囲】
【請求項１】
ファンと、前記ファンを回転させるためのモータと、前記ファンおよび前記モータを覆う金属ワイヤ製のガードとを有する扇風機であって、
前記モータは、
前後方向に延びる回転軸を有するロータと、
前記回転軸の前方および後方を突出させた状態で、前記ロータを囲繞するように設けられ、前後方向中央部で連結されている金属製のフロントブラケットおよびリヤブラケットと、
前記回転軸の前方を突出させた状態で、前記フロントブラケットの外側を覆うフロントカバーと、
前記フロントカバーの後端外周縁に結合され、前記リヤブラケットの外側および前記リヤブラケットから後方へ突出している前記回転軸の後方を覆うリヤカバーと、を備え、
前記ファンは、前記フロントカバーから前方へ突出している前記回転軸の前端に着脱可能に取り付けられており、
前記ガードは、前記ファンの後方側および前記フロントカバーを保護するセンターガードと、このセンターガードの前端外周縁に結合され、前記ファンの前方側を保護するフロントガードと、前記センターガードの後方に備えられ、前記リヤカバーを保護するリヤガードとを有し、
前記センターガードは、その後端が、前記フロントブラケットおよび前記リヤブラケットの連結部に固定されていることを特徴とする、扇風機。
【請求項２】
前記センターガードの後端は、前記フロントブラケットおよび前記リヤブラケットの連結部に対し、金属製ホルダを介して固定されていることを特徴とする、請求項１記載の扇風機。
【請求項３】
前記リヤブラケットには、前記リヤブラケットから突出する前記回転軸の後端と組み合わされ、金属製ケースで外装された首振りユニットが取り付けられていることを特徴とする、請求項１または２記載の扇風機。
【請求項４】
前記センターガードの後端外周縁に弾性パッキンを介して前記リヤガードの前端外周縁が当接されていることを特徴とする、請求項３記載の扇風機。
【請求項５】
前記リヤガードは、
前端外周縁を形成する金属ワイヤ製の円形リングと、
前記円形リングに等間隔で先端が固着された複数本の金属製ワイヤであって、各ワイヤは、前記円形リングの後方中央に向かって凸湾曲状に延び、後端が前記後方中央で金属製パッチに固着された複数本の金属製ワイヤとを有し、
前記パッチが金属スリーブを介して前記首振りユニットの後端に連結されていることを特徴とする、請求項４記載の扇風機。
【請求項６】
ベース、および
前記ベースから上方へ延びる支柱を備え、
前記支柱の上端の首部に前記モータが連結されており、
前記センターガードには、前記首部が通り得る必要最小限の形状の挿通孔が形成されていることを特徴とする、請求項１〜５のいずれかに記載の扇風機。
【発明の詳細な説明】
【技術分野】
【０００１】
この発明は、扇風機に関する。
【背景技術】
【０００２】
一般的な扇風機は、床面に載置されるベースと、ベースから上方ヘ立設された支柱と、支柱上端に支持されたネックピースと、ネックピースによって左右方向へ回動自在に支持された頭部と、頭部に内蔵されたモータの出力軸に装着されたファンと、ファンを取り囲むように頭部に装着された籠状のガードとを備えている（たとえば、特許文献１参照）。
【０００３】
扇風機が作動状態にある場合には、モータが駆動することによってファンがガード内で回転し、さらに、ファンが頭部とともに左右へ回動するので、ファンの周りには、空気の流れが生成される。
【特許文献１】特開２００７−２３９０９号公報
【発明の開示】
【発明が解決しようとする課題】
【０００４】
扇風機の頭部は、一般的に、樹脂などの撓みやすい材料で形成されている。そのため、特許文献１に記載の扇風機のようにガードを頭部に装着する場合には、頭部に対してガードを強固に固定できないので、扇風機が作動状態にあるときにガードがぐらつき、ガードの位置が安定しないという不具合が生じ得る。
【０００５】
この発明は、かかる背景のもとでなされたもので、ガードの位置を安定させることができる扇風機を提供することを目的とする。
【課題を解決するための手段】
【０００６】
請求項１記載の発明は、ファンと、前記ファンを回転させるためのモータと、前記ファンおよび前記モータを覆う金属ワイヤ製のガードとを有する扇風機であって、前記モータは、前後方向に延びる回転軸を有するロータと、前記回転軸の前方および後方を突出させた状態で、前記ロータを囲繞するように設けられ、前後方向中央部で連結されている金属製のフロントブラケットおよびリヤブラケットと、前記回転軸の前方を突出させた状態で、前記フロントブラケットの外側を覆うフロントカバーと、前記フロントカバーの後端外周縁に結合され、前記リヤブラケットの外側および前記リヤブラケットから後方へ突出している前記回転軸の後方を覆うリヤカバーと、を備え、前記ファンは、前記フロントカバーから前方へ突出している前記回転軸の前端に着脱可能に取り付けられており、前記ガードは、前記ファンの後方側および前記フロントカバーを保護するセンターガードと、このセンターガードの前端外周縁に結合され、前記ファンの前方側を保護するフロントガードと、前記センターガードの後方に備えられ、前記リヤカバーを保護するリヤガードとを有し、前記センターガードは、その後端が、前記フロントブラケットおよび前記リヤブラケットの連結部に固定されていることを特徴とする、扇風機である。
【０００７】
請求項２記載の発明は、前記センターガードの後端は、前記フロントブラケットおよび前記リヤブラケットの連結部に対し、金属製ホルダを介して固定されていることを特徴とする、請求項１記載の扇風機である。
【０００８】
請求項３記載の発明は、前記リヤブラケットには、前記リヤブラケットから突出する前記回転軸の後端と組み合わされ、金属製ケースで外装された首振りユニットが取り付けられていることを特徴とする、請求項１または２記載の扇風機である。
【０００９】
請求項４記載の発明は、前記センターガードの後端外周縁に弾性パッキンを介して前記リヤガードの前端外周縁が当接されていることを特徴とする、請求項３記載の扇風機である。
【００１０】
請求項５記載の発明は、前記リヤガードは、前端外周縁を形成する金属ワイヤ製の円形リングと、前記円形リングに等間隔で先端が固着された複数本の金属製ワイヤであって、各ワイヤは、前記円形リングの後方中央に向かって凸湾曲状に延び、後端が前記後方中央で金属製パッチに固着された複数本の金属製ワイヤとを有し、前記パッチが金属スリーブを介して前記首振りユニットの後端に連結されていることを特徴とする、請求項４記載の扇風機である。
【００１１】
請求項６記載の発明は、ベース、および前記ベースから上方へ延びる支柱を備え、前記支柱の上端の首部に前記モータが連結されており、前記センターガードには、前記首部が通り得る必要最小限の形状の挿通孔が形成されていることを特徴とする、請求項１〜５のいずれかに記載の扇風機である。
【発明の効果】
【００１２】
請求項１記載の発明によれば、この扇風機では、ファンおよびモータが、金属ワイヤ製のガードによって覆われるので、ファンおよびモータの両方が外的損傷を受けることを防止できる。
【００１３】
また、モータは、ファンが取り付けられる回転軸を有するロータと、このロータを囲繞するように設けられた金属製のフロントブラケットおよびリヤブラケットとを備えている。そして、ガードでは、ファンの後方側とフロントブラケットの外側を覆うフロントカバーとを保護するセンターガードの後端が、フロントブラケットおよびリヤブラケットの連結部に固定されている。
【００１４】
つまり、ガードが、扇風機において重量物となるモータの金属製のフロントブラケットおよびリヤブラケットの連結部に固定されるので、扇風機が作動状態にあるときであってもガードがぐらつくことはなく、ガードの位置を安定させることができる。また、ガードを持って扇風機を移動させる際に、ガードがぶれ難く、扇風機を安定して持ち上げることができる。
【００１５】
請求項２記載の発明によれば、センターガードの後端が、フロントブラケットおよびリヤブラケットの連結部に対し、金属製ホルダを介して固定されているので、センターガードの後端と連結部とが互いに離れていても、センターガードの後端を連結部に容易に固定することができる。
【００１６】
請求項３記載の発明によれば、リヤブラケットには、リヤブラケットから突出する回転軸の後端と組み合わされ、金属製ケースで外装された首振りユニットが取り付けられている。これにより、リヤブラケットを備えるモータは、首振りユニットをさらに備えることになって重量が増すので、このようなモータのフロントブラケットおよびリヤブラケットの連結部にセンターガードが固定された場合には、ガードのぐらつきが抑えられ、ガードの位置を一層安定させることができる。
【００１７】
請求項４記載の発明によれば、リヤブラケットの外側およびリヤブラケットから後方へ突出している回転軸の後方を覆うリヤカバーを保護するリヤガードの前端外周縁が、弾性パッキンを介して、センターガードの後端外周縁に当接している。これにより、リヤガードの前端外周縁とセンターガードの後端外周縁との接触音が生じたり、リヤガードの振動がセンターガードに伝わったり、センターガードの振動がリヤガードに伝わったりすることを防止できる。
【００１８】
請求項５記載の発明によれば、リヤガードにおいて、前端外周縁を形成する円形リングの後方中央に向かって凸湾曲状に延びる複数本の金属製ワイヤの後端が固着される金属製パッチが、金属スリーブを介して首振りユニットの後端に連結される。
【００１９】
つまり、リヤガードが、扇風機において重量物となるモータのリヤブラケットに取り付けられた首振りユニットの金属製ケースに連結されるので、扇風機が作動状態にあるときであってもリヤガードがぐらつくことはなく、ガードの位置を安定させることができる。
【００２０】
特に、リヤガードでは、金属製パッチが、剛体である金属スリーブを介して首振りユニットの後端に連結されるので、金属製パッチと首振りユニットとの間に距離があっても、金属製パッチを首振りユニットに直接連結させる場合と同様に、金属製パッチと首振りユニットとの相対位置、つまりガードの位置を安定させることができる。
【００２１】
請求項６記載の発明によれば、センターガードには、モータが連結される支柱の上端の首部が通り得る必要最小限の形状の挿通孔が形成されているので、ユーザの指が挿通孔を介してセンターガード内のファンに接触することを防止できる。
【発明を実施するための最良の形態】
【００２２】
以下には、図面を参照して、この発明の実施形態について具体的に説明する。
【００２３】
図１は、この発明の一実施形態に係る扇風機１の構成の概要を表わす側面縦断面図である。図２は、図１のＡ−Ａ矢視断面図である。図３は、扇風機１（ファン６、フロントガード２９およびフロントカバー１１が省略された状態）を正面から見た図である。図４は、扇風機１を背面から見た図である。図５は、図４において、リヤガード３１およびリヤカバー１２が省略された状態を示す。なお、扇風機１の姿勢に関し、各図に示した方向矢印を参照する。ここで、左右方向は幅方向と同義であり、前側は正面側と同義であり、後側は背面側と同義である。また、水平方向には、前後方向および左右方向が含まれる。
【００２４】
図１に示すように、この扇風機１は、ベース２と、支柱３と、ネックピース４と、モータ５と、ファン６と、ガード７とを備えている。
＜ベース＞
ベース２は、上下方向に薄い略円盤形状であり、載置面に載置される。ベース２の正面側には、扇風機１の運転を制御するために操作されるボタン（図示せず）が配置されている。ベース２内には、マイコン（図示せず）が内蔵されており、ユーザによるボタン（図示せず）の操作に基づいて、マイコン（図示せず）が、扇風機１の運転（モータ５の駆動等）を制御する。
＜支柱＞
支柱３は、ベース２の円中心位置から上方へ立設された略円柱形状である。支柱３は、上に向うに従って、徐々に細くなっている。
＜ネックピース＞
ネックピース４は、支柱３の上端の首部をなしている。ネックピース４は、筒状の本体部９と、本体部９の下端部の背面側から下向きに突出した突出部１０とを一体的に備えている。突出部１０の下端部が、支柱３の上側部分によって、前後に揺動自在に支持されているので、ネックピース４は、突出部１０の下端部を中心として前後に揺動自在である。後述するように、ネックピース４には、ファン６およびガード７と一体化されたモータ５（まとめて頭部７０という。）が連結されるので、頭部７０は、ネックピース４の揺動に伴って俯仰自在である。
＜モータ＞
モータ５は、モータ本体８と、ホルダ３９（図２参照）と、フロントカバー１１と、リヤカバー１２と、首振りユニット１３とを備えている。
（モータ本体）
モータ本体８は、フロントブラケット１４と、リヤブラケット１５と、ステータ１６と、ロータ１７と、回転軸１８とを備えている。
【００２５】
フロントブラケット１４およびリヤブラケット１５は、ともに、中心軸が水平方向に延びるほぼ同じ大きさの金属製の円筒形状である。フロントブラケット１４が、リヤブラケット１５に対して、同軸状になるように、前側から連結されており、この状態で、フロントブラケット１４の内部とリヤブラケット１５の内部とが、互いに連通している。
【００２６】
ここで、図２に示すように、フロントブラケット１４およびリヤブラケット１５では、互いに連結される部分（連結部６８）のそれぞれに、凸部４３が複数形成されている。各凸部４３には、前後に延びる貫通穴４４が形成されている。フロントブラケット１４の凸部４３の貫通穴４４は、リヤブラケット１５において対応する凸部４３の貫通穴４４に対して前側から対向している。そこで、これらの凸部４３の貫通穴４４にねじ４５を後側から挿通し、ねじ４５においてフロントブラケット１４側の貫通穴４４から前側にはみ出た部分にナット４６を組み付ける。これにより、フロントブラケット１４の凸部４３およびリヤブラケット１５の凸部４３が、ねじ４５の頭とナット４６とによって挟持されるので、フロントブラケット１４およびリヤブラケット１５が連結（一体化）された状態が維持される。
【００２７】
また、図１に示すように、フロントブラケット１４の前端面およびリヤブラケット１５の後端面のそれぞれは、十字形状の枠１９が形成されるように、切り欠かかれている（図３も参照）。フロントブラケット１４の前端面およびリヤブラケット１５の後端面のそれぞれの枠１９の中心には、貫通穴６９が形成されている。
【００２８】
ステータ１６は、連結されたフロントブラケット１４およびリヤブラケット１５（まとめてブラケット２０ということがある。）の連結部６８において、ブラケット２０の内周面に沿うように、ブラケット２０の内部に配置されている。ここで、連結部６８は、ブラケット２０の前後方向中央部である。
【００２９】
ロータ１７は、ステータ１６よりもブラケット２０の円中心側に配置された状態でブラケット２０に囲繞され、ブラケット２０の径方向において、ステータ１６と対向している。
【００３０】
回転軸１８は、水平方向（図１では前後方向）に延びており、フロントブラケット１４の前端面およびリヤブラケット１５の後端面のそれぞれの貫通穴６９に挿通され、さらに、ブラケット２０内のロータ１７を貫通し、ロータ１７と一体化されている。この状態において、回転軸１８の前方および後方は、ともに、ブラケット２０から突出している。また、ブラケット２０内では、各貫通穴６９付近に、軸受２１が配設されており、これらの軸受２１（換言すればブラケット２０）に支持されることによって、回転軸１８は、ロータ１７とともに、回転自在である。モータ本体８が駆動されると、回転軸１８は、所定の方向へ回転する。
（ホルダ）
図２に示すように、ホルダ３９は、ブラケット２０の外周面に沿う金属製の板状であり、ブラケット２０を幅方向外側から挟み込むように設けられている（図３も参照）。ホルダ３９の後端部には、ブラケット２０の径方向における外側（図２では幅方向外側）へ突出するリブ４２が一体的に設けられている。また、ホルダ３９の前端部は、ブラケット２０の連結部６８側へ折り曲げられており、フロントブラケット１４の凸部４３およびリヤブラケット１５の凸部４３ととともに、ねじ４５の頭とナット４６とによって挟持されている。これにより、ホルダ３９は、ブラケット２０と一体化されている。なお、ホルダ３９の前端部を、凸部４３ととともに、ねじ４５の頭とナット４６とによって挟持できるように、ある程度長めのねじ４５が用いられている。
（フロントカバー）
フロントカバー１１は、図２では後側へ向って徐々に拡径される中空の略円錐台形状であり、樹脂等で形成されている。フロントカバー１１の前端面の円中心位置には、貫通穴２３が形成されている。フロントカバー１１の後端面は、開放されている。図１に示すように、フロントカバー１１の下面には、内部に連通する開口２５が形成されている。フロントカバー１１において、開放された後端面を縁取る部分（フロントカバー１１の後端外周縁６０）には、径方向内側へ突出する爪６１が、周方向に間隔を隔てて複数形成されている（図５参照）。
【００３１】
フロントカバー１１は、モータ本体８のブラケット２０のほとんど（詳しくはフロントブラケット１４）の外側とホルダ３９とを前側から覆っている（図２も参照）。このとき、フロントカバー１１の前端面において、周方向における複数箇所（ここでは３箇所）が、ねじ５９によって、ブラケット２０（フロントブラケット１４）の枠１９に組みつけられており、フロントカバー１１がブラケット２０に対して周方向に位置決めされている。また、モータ本体８の回転軸１８の前方が、フロントカバー１１の前端面の貫通穴２３から、フロントカバー１１の前側へ突出している。
（リヤカバー）
リヤカバー１２は、図１では後側へ向って膨出する中空の略半球形状であり、樹脂等で形成されている。リヤカバー１２の前端面は、開放されている。リヤカバー１２の後端部には、前側へ窪む凹部５７が形成されている。凹部５７には、互いに隣接する１対の爪５８が形成されている。凹部５７において、リヤカバー１２の円中心位置には、貫通穴６２が形成されている。リヤカバー１２には、その内側において、貫通穴６２を取り囲みつつ前側へ延びる中空のボス７１が一体的に設けられている。リヤカバー１２において、開放された前端面を縁取る部分（リヤカバー１２の前端外周縁６３）には、後側へ窪むように切り欠かれた切欠き（図示せず）が、周方向に間隔を隔てて複数形成されている。
【００３２】
リヤカバー１２は、フロントカバー１１の後端外周縁６０に対して後側から結合されており、ブラケット２０においてフロントカバー１１からはみ出た後側部分（リヤブラケット１５の外側およびリヤブラケット１５から後方に突出している回転軸１８の後方）を後側から覆っている。この状態において、フロントカバー１１の後端外周縁６０が、リヤカバー１２の前端外周縁６３に外嵌されており、リヤカバー１２がフロントカバー１１に対して径方向に位置決めされている。そして、フロントカバー１１の後端外周縁６０の各爪６１（図５参照）が、リヤカバー１２の前端外周縁６３において対応する切欠き（図示せず）に嵌まり込んでおり、リヤカバー１２がフロントカバー１１に対して周方向に位置決めされている。
【００３３】
モータ本体８およびホルダ３９は、このように結合されたフロントカバー１１およびリヤカバー１２（まとめてカバー２２ということがある）内に収容されている。一方で、回転軸１８が、上述したようにフロントカバー１１の前端面の貫通穴２３から前側へ突出しており、回転軸１８には、リング状のオイルキャップ２４が外嵌されている。これにより、フロントカバー１１の前端面において貫通穴２３を縁取る部分と回転軸１８との隙間が、オイルキャップ２４によって塞がれる。そのため、モータ本体８のブラケット２０内に注入された潤滑油が貫通穴２３から漏れ出ることが防止され、さらに、フロントカバー１１が、回転軸１８を支持するブラケット２０に対して、同心となるように、径方向に位置決めされる。上述したようにフロントカバー１１は、ブラケット２０に対して周方向にも位置決めされているので、フロントカバー１１に対して周方向および径方向に位置決めされているリヤカバー１２も、フロントカバー１１と同様に、ブラケット２０に対して周方向および径方向のいずれにも位置決めされることになる。
【００３４】
そして、ネックピース４の本体部９の上端部が、フロントカバー１１の開口２５に対して下側から遊びを持って挿通され、モータ本体８のブラケット２０（詳しくはフロントブラケット１４）の下端部に連結されている。これにより、モータ本体８を含むモータ５（さらには頭部７０）は、ネックピース４によって左右に揺動自在に支持される。
（首振りユニット）
首振りユニット１３は、リヤカバー１２内に設けられており、首振りユニット１３を外装する金属製のケース２６と、ケース２６内に設けられた伝達機構２７とを備えている。
【００３５】
ケース２６が、モータ本体８のブラケット２０（詳しくはリヤブラケット１５）に対して後側から取り付けられていることから、首振りユニット１３は、ブラケット２０と一体化されている。伝達機構２７は、リヤブラケット１５から突出する回転軸１８の後端と組み合わされている。首振りユニット１３は、モータ本体８の駆動時に、回転する回転軸１８の回転力を伝達機構２７で受け、この回転力によって、モータ５のみならず頭部７０全体を左右に揺動させる。なお、首振りユニット１３には、外部から操作可能なノブ２８が設けられており、ユーザは、ノブ２８を操作することによって、頭部７０を揺動させたり、頭部７０の揺動をキャンセルしたりすることができる。なお、ブラケット２０およびケース２６が一体成形されていてもよい。
＜ファン＞
ファン６は、モータ本体８の回転軸１８においてフロントカバー１１から前方へ突出した前端に着脱可能に取り付けられている。具体的には、回転軸１８の前端部には、ねじ部が形成されており、このねじ部に、ファン６が組み付けられている。この状態で、ファン６は、回転軸１８とともに、回転自在である。そのため、モータ本体８の駆動時には、ファン６は、回転軸１８とともに回転し、これにより、ファン６を挟んで後側から前側へ向かう空気の流れ（図１の太い点線矢印参照）が発生する。
＜ガード＞
ガード７は、前から順に、フロントガード２９と、センターガード３０と、リヤガード３１とを有している。
（フロントガード）
フロントガード２９は、前側へ膨出する鉢形状であり、その円中心側から放射状に延びる複数本の金属ワイヤによって籠状に形成されており、後側面が開放されている。フロントガード２９において、開放された後側面を縁取る後端外周縁は、フロントガード２９の径方向外側へ向って延びる鍔状に形成されており、フロント鍔部３２とされる。フロント鍔部３２は、フロントガード２９と同軸の環状をなしている。
（センターガード）
センターガード３０は、後側へ向って曲線的に縮径される中空の円錐台形状であり、フロントガード２９同様、金属ワイヤによって籠状に形成されており（図３参照）、前側面および後側面の両方が開放されている。センターガード３０において、開放された前側面を縁取る前端外周縁は、センターガード３０の径方向外側へ向って延びる鍔状に形成されており、センター第１鍔部３３とされる。センター第１鍔部３３は、センターガード３０と同軸、かつ、フロント鍔部３２と大きさが等しい環状をなしている。センターガード３０において、開放された後側面を縁取る後端外周縁は、センターガード３０の径方向内側へ向って延びる鍔状に形成されており、センター第２鍔部３４とされる。
【００３６】
センター第２鍔部３４は、センターガード３０と同軸をなす環状の薄板状である。センター第２鍔部３４の後側面には、センターガード３０の後端をなすガードオーナメントリム３５が一体的に設けられている。ガードオーナメントリム３５は、センター第２鍔部３４と同軸をなす環状の薄板状であり、ガードオーナメントリム３５の内径は、センター第２鍔部３４の内径よりも小さい。つまり、ガードオーナメントリム３５は、センター第２鍔部３４よりもセンターガード３０の円中心側へ突出している。そして、ガードオーナメントリム３５の内側周縁部には、径方向内側へ突出する凸部５４が、周方向に間隔を隔てて複数形成されている（図５参照）。また、ガードオーナメントリム３５の外径は、センター第２鍔部３４の外径よりも小さいので、センター第２鍔部３４の後側面とガードオーナメントリム３５の外周縁との間には、段付き３６が形成されている（図２も参照）。
【００３７】
また、センターガード３０の上側面には、金属ワイヤで形成されたハンドル５６が取り付けられており、このハンドル５６を掴むことによって、扇風機１全体を移動させることができる。
（リヤガード）
リヤガード３１は、後側へ向って膨出する中空の略半球形状であり、フロントガード２９同様、金属ワイヤによって籠状に形成されており、前側面が開放されている。リヤガード３１は、リヤカバー１２よりも一回り大きい。リヤガード３１において、開放された前側面を縁取る前端外周縁は、リヤガード３１の径方向外側へ向って延びる円形の鍔状に形成されており、リヤ鍔部３７（円形リング）とされる。リヤ鍔部３７も金属ワイヤ製であり、センター第２鍔部３４とほぼ同じ径を有している。そして、リヤガード３１では、リヤ鍔部３７とは別の複数本の金属製ワイヤ６４が、先端がリヤ鍔部３７に対して周方向に等間隔で固着された状態で、リヤ鍔部３７の後方中央に向かって凸湾曲状に延びており、金属製ワイヤ６４の後端は、リヤ鍔部３７の後方中央で、薄い円板状の金属製パッチ６５に固着されている（図４参照）。そのため、複数本の金属製ワイヤ６４は、パッチ６５を中心として、リヤ鍔部３７へ向って放射状に延びている（図４参照）。パッチ６５の円中心位置には、貫通穴６６が形成されている。
（フロントガードおよびセンターガードの組み付け）
フロントガード２９は、センターガード３０に対して前側から嵌め合わされている。詳しくは、フロントガード２９のフロント鍔部３２とセンターガード３０のセンター第１鍔部３３とが、クリップ３８を介して結合されていることから、嵌め合わされたフロントガード２９とセンターガード３０とは一体化されている。
【００３８】
そして、図２に示すように、センターガード３０の後端のガードオーナメントリム３５が、ねじ４７によって、ホルダ３９のリブ４２にねじ留めされることにより、ホルダ３９を介して、ホルダ３９と一体化されたブラケット２０（換言すればモータ５）の連結部６８に固定される。そのため、センターガード３０と一体化されたフロントガード２９も、センターガード３０と同様に、モータ５のブラケット２０の連結部６８に固定されることになる。これにより、フロントガード２９およびセンターガード３０の組み付けが完了する。
【００３９】
なお、この実施形態では、センターガード３０の後端のガードオーナメントリム３５が、ホルダ３９を介してブラケット２０の連結部６８に固定されているが、センターガード３０またはフロントカバー１１、リヤカバー１２等のデザインを変え、センターガード３０の後端が直接ブラケット２０の連結部６８に固定される構造としてもよい。
【００４０】
この状態において、図５に示すように、ガードオーナメントリム３５の凸部５４がモータ本体８のブラケット２０（リヤブラケット１５）に対して径方向外側から当接し、また、最上位にある凸部５４の径方向における内周縁に形成された切欠き５５にブラケット２０の枠１９が係合している。これにより、ガードオーナメントリム３５（換言すればフロントガード２９とセンターガード３０）がブラケット２０に対して周方向および径方向のいずれにおいても位置決めされている。
【００４１】
そして、この状態において、図２に示すように、ファン６とモータ５の略前半分とが、フロントガード２９およびセンターガード３０の内側に収容されている。そのため、フロントガード２９は、ファン６の前方側を保護し、センターガード３０は、ファン６の後方側およびフロントカバー１１を保護している。
【００４２】
ここで、図１に示すように、センターガード３０の下側面の後側部分には、挿通孔４０が形成されており、ネックピース４の本体部９は、挿通孔４０を介して、フロントガード２９およびセンターガード３０の内側のモータ５（詳しくはモータ本体８のフロントブラケット１４）に連結されている。そして、センターガード３０において挿通孔４０の近傍には、金属ワイヤで形成されたガード４１が溶接などで取り付けられている（図３〜図５も参照）。ガード４１によって、センターガード３０において挿通孔４０を縁取る部分とネックピース４との隙間が、この隙間からフロントガード２９およびセンターガード３０の内側に指などが入らない程度に狭められている。つまり、挿通孔４０の形状が、ネックピース４の本体部９が通り得る必要最小限の形状となっているので、ユーザの指が挿通孔４０を介してセンターガード３０内のファン６に接触することを防止できる。なお、ガード４１は、センターガード３０に対する別部品として設けられなくてもよく、センターガード３０を形成する金属ワイヤにおいて挿通孔４０の近傍部分を変形させることで、ガード４１をセンターガード３０から一体的に形成してもよい。
（リヤガードの組み付け）
そして、図２に示すように、フロントガード２９およびセンターガード３０が固定されたモータ５に対して、リヤガード３１が組み付けられる。
【００４３】
リヤガード３１の組み付けに先立って、センターガード３０のセンター第２鍔部３４およびガードオーナメントリム３５の後側面には、弾性パッキン（以下、単に「パッキン」という。）４８が取り付けられる。このとき、リヤカバー１２は、図５に示すように、取り付けられていない（モータ５から分離されている）。なお、説明の便宜上、パッキン４８を、図１および図２では黒く塗り潰して示しており、図５では、ドットを付して示している。
【００４４】
図５に示すように、パッキン４８は、ガードオーナメントリム３５とほぼ同じ大きさの環状である。そして、図２に示すように、パッキン４８は、その外側周縁部４９が、それ以外の部分（つまりパッキン４８において外側周縁部４９よりも径方向内側の部分）に対して前側にずれるように、形成されている。そして、パッキン４８において外側周縁部４９よりも径方向内側の部分では、背面視においてねじ４７と一致する位置に、貫通穴５０が形成されている（図５も参照）。貫通穴５０は、ねじ４７の個数に応じて、周方向に間隔を隔てて複数形成されている。パッキン４８は、センター第２鍔部３４およびガードオーナメントリム３５の後側面に取り付けられたとき、各貫通穴５０にねじ４７の頭が嵌め込まれることで周方向に位置決めされ（図５も参照）、センター第２鍔部３４の後側面とガードオーナメントリム３５の外周縁との間の段付き３６に外側周縁部４９が引っ掛かることで径方向に位置決めされる。
【００４５】
パッキン４８の位置決めが完了した後に、上述したようにリヤカバー１２がフロントカバー１１に対して後側から結合される。このとき、リヤカバー１２の前端外周縁６３の一部が、パッキン４８をガードオーナメントリム３５に押し付けるので、パッキン４８が、前端外周縁６３とガードオーナメントリム３５とに挟持されて固定され、パッキン４８の取り付けが完了する。
【００４６】
そして、パッキン４８の取り付けが完了した後に、リヤカバー１２の貫通穴６２およびボス７１の内側部分に対して、円筒形状の金属製スリーブ５２が後側から挿通される。スリーブ５２の後端部には、径方向外側へ突出する鍔部５３が形成されており、鍔部５３が、リヤカバー１２における貫通穴６２の縁に後側から引っ掛かると、スリーブ５２の挿通が完了する。このとき、スリーブ５２の前端は、モータ本体８のブラケット２０と一体化された首振りユニット１３のケース２６の後端部に対して後側から当接している。
【００４７】
その後、リヤガード３１が、センターガード３０との間でパッキン４８を挟むように、センターガード３０に対して後側から嵌め合わされる。詳しくは、リヤガード３１のリヤ鍔部３７とセンターガード３０のセンター第２鍔部３４とによってパッキン４８が圧縮される。換言すれば、センター第２鍔部３４にパッキン４８を介してリヤ鍔部３７が当接される。これにより、扇風機１の運転中に、リヤ鍔部３７とセンター第２鍔部３４との接触音が生じたり、リヤガード３１の振動がセンターガード３０に伝わったり、センターガード３０の振動がリヤガード３１に伝わったりすることを防止できる。
【００４８】
そして、リヤガード３１がセンターガード３０に嵌め合わされた状態で、リヤガード３１の後端部のパッチ６５の貫通穴６６に対して、ねじ５１が後側から挿通され、このねじ５１が、スリーブ５２の内側を通って、首振りユニット１３のケース２６の後端に組み付けられる。
【００４９】
これにより、スリーブ５２が、ねじ５１の頭によってケース２６に押し付けられて固定される。そして、パッチ６５が、ねじ５１の頭によってスリーブ５２の鍔部５３に押し付けられて固定されることより、スリーブ５２を介してケース２６の後端に連結される。これに伴い、パッチ６５を有するリヤガード３１は、ケース２６に固定される。また、スリーブ５２の鍔部５３がリヤカバー１２における貫通穴６２の縁に後側から引っ掛かっているので、リヤカバー１２が、スリーブ５２を介して、ケース２６に固定される。つまり、スリーブ５２とねじ５１とを用いることによって、リヤカバー１２およびリヤガード３１の両方を一度にケース２６（換言すればモータ５のブラケット２０）に固定することができる。
【００５０】
また、このとき、リヤカバー１２の後端部の凹部５７に形成された１対の爪５８（図１参照）が、リヤガード３１における１本の金属製ワイヤ６４を挟持しているので、リヤガード３１がリヤカバー１２に対して、その周方向において、位置決めされる。そして、リヤガード３１に対して、ねじ５１およびパッチ６５を外部から隠すように、円盤状のキャップ６７が後側から取り付けられると（図４も参照）、リヤガード３１の組み付けが完了する。
【００５１】
この状態において、モータ５の略後半分（つまりリヤカバー１２）が、リヤガード３１の内側に収容されている。リヤガード３１は、リヤカバー１２を保護している。そして、ガード７全体で見ると、モータ５およびファン６が、ガード７の内側に収容され、ガード７に覆われているので、この扇風機１では、モータ５およびファン６の両方が外的損傷を受けることを防止できる。
【００５２】
以上のように、この扇風機１では、ガード７において、センターガード３０の後端のガードオーナメントリム３５が、フロントブラケット１４およびリヤブラケット１５の連結部６８に固定されている。
【００５３】
つまり、ガード７が、扇風機１において重量物となるモータ５の金属製のフロントブラケット１４およびリヤブラケット１５の連結部６８に固定されるので、扇風機１が作動状態にあるときであってもガード７全体がぐらつくことはなく、ガード７の位置を安定させることができる。また、ガード７を持って扇風機１を移動させる際に、ガード７がぶれ難く、扇風機１を安定して持ち上げることができる。さらに、センターガード３０の剛性にかかわらず、センターガード３０の位置を安定させることができるので、センターガード３０を、剛性の低い安価な材料で形成することができる。
【００５４】
また、ガードオーナメントリム３５が、連結部６８に対し、ホルダ３９を介して固定されているので、ガードオーナメントリム３５と連結部６８とが互いに離れていても、ガードオーナメントリム３５を連結部６８に容易に固定することができる。もちろん、ガードオーナメントリム３５と連結部６８とが互いに近ければ、ガードオーナメントリム３５を連結部６８に直接固定してもよい。
【００５５】
さらに、リヤブラケット１５には首振りユニット１３が取り付けられていることから、リヤブラケット１５を備えるモータ５は、首振りユニット１３をさらに備えることになって重量が増す。そのため、このようなモータ５のフロントブラケット１４およびリヤブラケット１５の連結部６８にセンターガード３０が固定された場合には、ガード７のぐらつきが抑えられ、ガード７の位置を一層安定させることができる。
【００５６】
そして、リヤガード３１において、金属製パッチ６５が、金属スリーブ５２を介して首振りユニット１３の後端に連結される。
【００５７】
つまり、リヤガード３１が、扇風機１において重量物となるモータ５のリヤブラケット１５に取り付けられた首振りユニット１３の金属製ケース２６に連結されるので、扇風機１が作動状態にあるときであってもリヤガード３１がぐらつくことはなく、ガード７全体の位置を安定させることができる。
【００５８】
特に、リヤガード３１では、金属製パッチ６５が、剛体である（経年による寸法変化がほとんどない）金属スリーブ５２を介して首振りユニット１３の後端に連結される。そのため、金属製パッチ６５と首振りユニット１３との間に距離があっても、金属製パッチ６５を首振りユニット１３に直接連結させる場合と同様に、金属製パッチ６５と首振りユニット１３との相対位置、つまりリヤガード３１（さらにはガード７全体）の位置を安定させることができる。
【００５９】
また、樹脂製のリヤカバー１２を首振りユニット１３のケース２６に対してねじ５１で直接ねじ止めした場合には、リヤカバー１２の経年による寸法変化によってねじ５１が緩む虞がある。しかし、本構成のように、ねじ５１によってケース２６に固体された金属製のスリーブ５２を介して、リヤカバー１２をケース２６に固定すれば、リヤカバー１２の経年変化によってねじ５１が緩むことが防止される。
【００６０】
また、上述したリヤガード３１のリヤ鍔部３７とセンターガード３０のセンター第２鍔部３４とによって圧縮されたパッキン４８の復元力がリヤガード３１およびパッチ６５を介してねじ５１に作用する。これにより、ねじ５１にテンションがかかり、ねじ５１が首振りユニット１３のケース２６に強固に組みつけられるので、ねじ５１の緩みが防止される。
【００６１】
そして、このように、センターガード３０およびリヤガード３１がモータ５のブラケット２０にそれぞれ固定されるので、上述したクリップ３８のような、リヤガード３１のリヤ鍔部３７とセンターガード３０のセンター第２鍔部３４とを結合させる部品を用いなくても、リヤガード３１をセンターガード３０に対して位置決めできる。そのため、リヤ鍔部３７およびセンター第２鍔部３４の周辺には、クリップ３８のような部品がないので、リヤ鍔部３７およびセンター第２鍔部３４の周辺の見映えがよい。
【００６２】
この発明は、以上の実施形態の内容に限定されるものではなく、請求項記載の範囲内において種々の変更が可能である。
【図面の簡単な説明】
【００６３】
【図１】この発明の一実施形態に係る扇風機１の構成の概要を表わす側面縦断面図である。
【図２】図１のＡ−Ａ矢視断面図である。
【図３】扇風機１（ファン６、フロントガード２９およびフロントカバー１１が省略された状態）を正面から見た図である。
【図４】扇風機１を背面から見た図である。
【図５】図４において、リヤガード３１およびリヤカバー１２が省略された状態を示す。
【符号の説明】
【００６４】
１      扇風機
２      ベース
３      支柱
４      ネックピース（支柱の首部）
５      モータ
６      ファン
７      ガード
１１    フロントカバー
１２    リヤカバー
１３    首振りユニット
１４    フロントブラケット
１５    リヤブラケット
１７    ロータ
１８    回転軸
２６    ケース
２９    フロントガード
３０    センターガード
３１    リヤガード
３３    センター第１鍔部（センターガードの前端外周縁）
３４    センター第２鍔部（センターガードの後端外周縁）
３５    ガードオーナメントリム（センターガードの後端）
３７    リヤ鍔部（リヤガードの前端外周縁、円形リング）
３９    ホルダ
４０    挿通孔
４８    弾性パッキン
５２    スリーブ
６０    後端外周縁
６４    金属製ワイヤ
６５    パッチ
６８    連結部
【図１】
2009264139.tif 000003
【図２】
2009264139.tif 000004
【図３】
2009264139.tif 000005
【図４】
2009264139.tif 000006
【図５】
2009264139.tif 000007